(57)【特許請求の範囲】
【請求項１】
人の腰部に装着可能な腰部装着部と、
人の脚部に装着可能な脚部装着部と、
前記腰部装着部と前記脚部装着部とを繋ぐシート状部材を備え、
前記腰部装着部を上側とし、前記脚部装着部を下側とし、前記腰部装着部と前記脚部装着部とを結ぶ方向を上下方向としたとき、
前記シート状部材は、前記上下方向において、前記腰部装着部と前記脚部装着部との間に隙間無く繋がれ、
前記腰部装着部を環状につないだとき、前記シート状部材のうちの内側になる面を第一面側とし、外側になる面を第二面側とし、前記第一面側は前記上下方向において前記腰部装着部と前記脚部装着部との間で連続した内側面が形成され、前記第二面側には、外側に突出した部分を有する収納部が形成され、
前記シート状部材は、前記第二面側において、前記腰部装着部の上端から下側に向かった所定の領域を除いた領域においてのみ前記収納部が形成され、
前記腰部装着部は、人が装着したときに人の腰部を周回する方向に延びるベルト状部材を備え、
前記ベルト状部材は、前記シート状部材によって形成されたベルト通しに通され、
前記所定の領域は、前記ベルト通しからさらに下側に広がる範囲であり、
前記シート状部材は二つ備えられ、
前記ベルト状部材が環状につながれたとき、二つの前記シート状部材の上端の幅を加えた長さは、前記ベルト状部材の全長の１／３以上であってかつ３／４以下であり、
前記シート状部材は、それぞれ前記ベルト状部材が延びる方向に対して移動可能であり、
前記シート状部材に繋がる前記脚部装着部のそれぞれは、一方が左の脚部に装着可能であり、他方が右の脚部に装着可能であり、
前記シート状部材のそれぞれにおいて、前記収納部は、開閉部が形成された少なくとも一つのポケット収納部を備え、
前記ポケット収納部の下端部は、前記シート状部材の前記第二面側において前記収納部の内の最も下側であって前記脚部装着部に隣接した位置に形成され、
前記シート状部材におけるそれぞれの前記収納部を形成する部材は、前記所定の領域の下端部から前記脚部装着部に隣接する位置に向かうに従って、前記第二面に対して内側から外側への突出量が段階的に大きくなり、前記突出量が大きくなるに従って、前記収納部に収納可能な収納量が多くなることを特徴とする身体装着用ストレージバッグ。
【請求項２】
二つの前記シート状部材において、一方を第一シート状部材とし他方を第二シート状部材とし、
前記第一シート状部材において、前記腰部装着部の上端から下側に向かう前記所定の領域を第一領域とし、
前記第二シート状部材において、前記腰部装着部の上端から下側に向かう前記所定の領域を第二領域とし、
前記第一シート状部材に備えられた前記収納部と前記第二シート状部材に備えられた前記収納部とは異なる形態であり、
前記第一シート状部材における前記収納部は、前記第一領域から下側において、
前記ポケット収納部が、前記シート状部材の前記上下方向における下側に偏って形成され、
前記ポケット収納部は、前記第二面側から外側に向かって二段に形成され、前記第二面側の内側から外側に突出した第一ポケット収納部が形成され、さらに前記第一ポケット収納部から外側に突出した第二ポケット収納部が形成され、
前記第一ポケット収納部は、内側の上端部に隣接し、開口を備えた第一通し穴部を備え、
前記第一通し穴部は環状の部品からなり、前記シート状部材の前記第二面側に取り付けられ、
前記第一ポケット収納部は、前記第二ポケット収納部よりも前記上下方向及び前記ベルト状部材が延びる方向において広い範囲であり、
前記第一ポケット収納部及び前記第二ポケット収納部は、前記上下方向におけるいずれの下端部も前記脚部装着部に隣接した位置にあり、
前記第一シート状部材の前記収納部に形成される前記部材は、
前記所定の領域の下端部から下側に向かって前記第一ポケット収納部が突出し、
さらに前記第一ポケット収納部の上端部よりも下側において、前記第一ポケット収納部から前記第二ポケット収納部が突出することにより、
前記第一領域の下端部から前記脚部装着部に隣接する位置に向かうに従って、前記第二面に対して内側から外側への突出量が段階的に大きくなり、
前記第二シート状部材における前記収納部は、前記第二領域から下側において、
開口を備えた第二通し穴部と、
前記第二通し穴部の全体を覆う覆い部と、
前記第二通し穴部の前記上下方向の下側に対向して形成され、前記上下方向に延びた貫通する袋状の支持部と、
前記支持部よりも下側に、前記ポケット収納部である第三ポケット収納部を備え、
前記第二通し穴部は環状の部品からなり、前記第二シート状部材の前記第二面側に取り付けられ、
前記覆い部は、前記第二面側において前記第二通し穴部の上側に形成された接続部で前記シート状部材の前記第二面側に接続され、前記接続部を支点として内側から外側に向かう方向に庇状に開閉可能であり、
前記第二シート状部材の前記収納部に形成される前記部材は、
前記第二領域の下端部から下側に向かって前記覆い部が庇状に突出し、
前記覆い部よりも下側において、前記覆い部よりも突出量が大きい前記支持部が突出し、
前記支持部よりも下側において、さらに突出量が大きい前記第三ポケット収納部からなることにより、
前記第二領域の下端部から前記脚部装着部に隣接する位置に向かうに従って、前記第二面に対して内側から外側への突出量が段階的に大きくなることを特徴とする請求項１に記載の身体装着用ストレージバッグ。
【請求項３】
前記上下方向において、
前記第一シート状部材の前記第一領域は、前記第二領域よりも下側に長く、
前記第二シート状部材の前記覆い部は、前記第二領域の下端部にある前記接続部から下側に向かって庇状に開閉可能であり、
前記第一領域と、前記第二領域及び前記覆い部が形成される領域とは、共に外側から装着部材を装着可能であることを特徴とする請求項２に記載の身体装着用ストレージバッグ。

【発明の詳細な説明】
【技術分野】
【０００１】
本発明は、身体に装着して使用するストレージバッグに関する。
【背景技術】
【０００２】
従来、身体に装着して使用するストレージバッグが提案されている。例えば、特許文献１に記載の大腿部着用型パウチは、大腿部に着用するパウチであって、このパウチは、腰ベルトに繋がる吊りベルトと、大腿部に巻き付けられるベルトとにより大腿部に密着保持されるようにしたものである。より詳しくは、パウチの外側面に携帯電話を収容する小袋を付設し、上蓋を二重構造として上蓋内にコインを収容する仕切りを設けたり、パウチの外側面にゴルフボールを収容する小袋を付設していた。また、パウチの一部にゴルフプレー用のティーやマーカーを収容できるようにし、前面にスコアーカードを収容するポケットを設けることができた。
【先行技術文献】
【特許文献】
【０００３】
【特許文献１】特開２００６−３４０７７３号公報
【発明の概要】
【発明が解決しようとする課題】
【０００４】
しかしながら、特許文献１に記載された従来例では以下の課題がある。従来の大腿部着用型パウチは、腰ベルトとパウチとを吊りベルトがつなげていた。腰ベルトとパウチとは、一定幅で形成された吊りベルトによってのみつながれており、パウチに収納物を収納しようとすると吊りベルトに引っ掛けてしまったり、収納物が大腿部に直接接触して身体を傷つけてしまうといった課題があった。例えば、工事現場で工具等を出し入れする際にベルトに引っ掛けてしまうことによって作業効率の低下を招いたり、或いは先端が鋭利なドライバー等で大腿部を傷つけてしまうといった安全性の課題があった。
【０００５】
本発明の目的は、従来の課題を解決すべくなされたものであり、腰部装着部と脚部装着部とがシート状部材でつながれ、収納物の出し入れの際に引っかかりの少ない身体装着用ストレージバッグを提供することにある。
【課題を解決するための手段】
【０００６】
本発明の態様に係る身体装着用ストレージバッグは、人の腰部に装着可能な腰部装着部と、人の脚部に装着可能な脚部装着部と、前記腰部装着部と前記脚部装着部とを繋ぐシート状部材を備え、前記腰部装着部を上側とし、前記脚部装着部を下側とし、前記腰部装着部と前記脚部装着部とを結ぶ方向を上下方向としたとき、前記シート状部材は、前記上下方向において、前記腰部装着部と前記脚部装着部との間に隙間無く繋がれ、前記腰部装着部を環状につないだとき、前記シート状部材のうちの内側になる面を第一面側とし、外側になる面を第二面側とし、前記第一面側は前記上下方向において前記腰部装着部と前記脚部装着部との間で連続した内側面が形成され、前記第二面側には、外側に突出した部分を有する収納部が形成され、前記シート状部材は、前記第二面側において、前記腰部装着部の上端から下側に向かった所定の領域を除いた領域においてのみ前記収納部が形成され、前記腰部装着部は、人が装着したときに人の腰部を周回する方向に延びるベルト状部材を備え、前記ベルト状部材は、前記シート状部材によって形成されたベルト通しに通され、前記所定の領域は、前記ベルト通しからさらに下側に広がる範囲であり、前記シート状部材は二つ備えられ、前記ベルト状部材が環状につながれたとき、二つの前記シート状部材の上端の幅を加えた長さは、前記ベルト状部材の全長の１／３以上であってかつ３／４以下であり、前記シート状部材は、それぞれ前記ベルト状部材が延びる方向に対して移動可能であり、前記シート状部材に繋がる前記脚部装着部のそれぞれは、一方が左の脚部に装着可能であり、他方が右の脚部に装着可能であり、前記シート状部材のそれぞれにおいて、前記収納部は、開閉部が形成された少なくとも一つのポケット収納部を備え、前記ポケット収納部の下端部は、前記シート状部材の前記第二面側において前記収納部の内の最も下側であって前記脚部装着部に隣接した位置に形成され、前記シート状部材におけるそれぞれの前記収納部を形成する部材は、前記所定の領域の下端部から前記脚部装着部に隣接する位置に向かうに従って、前記第二面に対して内側から外側への突出量が段階的に大きくなり、前記突出量が大きくなるに従って、前記収納部に収納可能な収納量が多くなることを特徴とする。
【０００７】
また、前記身体装着用ストレージバッグは、二つの前記シート状部材において、一方を第一シート状部材とし他方を第二シート状部材とし、前記第一シート状部材において、前記腰部装着部の上端から下側に向かう前記所定の領域を第一領域とし、前記第二シート状部材において、前記腰部装着部の上端から下側に向かう前記所定の領域を第二領域とし、前記第一シート状部材に備えられた前記収納部と前記第二シート状部材に備えられた前記収納部とは異なる形態であり、前記第一シート状部材における前記収納部は、前記第一領域から下側において、前記ポケット収納部が、前記シート状部材の前記上下方向における下側に偏って形成され、前記ポケット収納部は、前記第二面側から外側に向かって二段に形成され、前記第二面側の内側から外側に突出した第一ポケット収納部が形成され、さらに前記第一ポケット収納部から外側に突出した第二ポケット収納部が形成され、前記第一ポケット収納部は、内側の上端部に隣接し、開口を備えた第一通し穴部を備え、前記第一通し穴部は環状の部品からなり、前記シート状部材の前記第二面側に取り付けられ、前記第一ポケット収納部は、前記第二ポケット収納部よりも前記上下方向及び前記ベルト状部材が延びる方向において広い範囲であり、前記第一ポケット収納部及び前記第二ポケット収納部は、前記上下方向におけるいずれの下端部も前記脚部装着部に隣接した位置にあり、前記第一シート状部材の前記収納部に形成される前記部材は、前記所定の領域の下端部から下側に向かって前記第一ポケット収納部が突出し、さらに前記第一ポケット収納部の上端部よりも下側において、前記第一ポケット収納部から前記第二ポケット収納部が突出することにより、前記第一領域の下端部から前記脚部装着部に隣接する位置に向かうに従って、前記第二面に対して内側から外側への突出量が段階的に大きくなり、前記第二シート状部材における前記収納部は、前記第二領域から下側において、開口を備えた第二通し穴部と、前記第二通し穴部の全体を覆う覆い部と、前記第二通し穴部の前記上下方向の下側に対向して形成され、前記上下方向に延びた貫通する袋状の支持部と、前記支持部よりも下側に、前記ポケット収納部である第三ポケット収納部を備え、前記第二通し穴部は環状の部品からなり、前記第二シート状部材の前記第二面側に取り付けられ、前記覆い部は、前記第二面側において前記第二通し穴部の上側に形成された接続部で前記シート状部材の前記第二面側に接続され、前記接続部を支点として内側から外側に向かう方向に庇状に開閉可能であり、前記第二シート状部材の前記収納部に形成される前記部材は、前記第二領域の下端部から下側に向かって前記覆い部が庇状に突出し、前記覆い部よりも下側において、前記覆い部よりも突出量が大きい前記支持部が突出し、前記支持部よりも下側において、さらに突出量が大きい前記第三ポケット収納部からなることにより、前記第二領域の下端部から前記脚部装着部に隣接する位置に向かうに従って、前記第二面に対して内側から外側への突出量が段階的に大きくなってもよい。
【０００８】
また、前記身体装着用ストレージバッグは、前記上下方向において、前記第一シート状部材の前記第一領域は、前記第二領域よりも下側に長く、前記第二シート状部材の前記覆い部は、前記第二領域の下端部にある前記接続部から下側に向かって庇状に開閉可能であり、前記第一領域と、前記第二領域及び前記覆い部が形成される領域とは、共に外側から装着部材を装着可能であってもよい。
【図面の簡単な説明】
【００３４】
【図１】本発明の態様に係る身体装着用ストレージバッグ１の展開図である。
【図２】（ａ）は、図１におけるＡ視図であり、（ｂ）は、図１におけるＢ視図である。
【図３】本発明の態様に係る身体装着用ストレージバッグ１の脚部装着部３を左脚に装着した状態を示した図である。
【図４】本発明の態様に係る身体装着用ストレージバッグ１の脚部装着部３を左脚に装着した状態を示した図であり、図３とは別の例を示す。
【図５】本発明の態様に係る身体装着用ストレージバッグ１の脚部装着部３を右脚に装着した状態を示した図である。
【図６】本発明の態様に係る身体装着用ストレージバッグ１の脚部装着部３を左右の脚部に装着し、さらに上から墜落制止用具５１を装着した状態を示した図である。
【図７】本発明の態様に係る身体装着用ストレージバッグ１の脚部装着部３を左右の脚部に装着し、さらに上から墜落制止用具５１を装着した状態を示した図であり、図６とは別の例を示す。
【図８】本発明の態様に係る身体装着用ストレージバッグ１の展開図の一例である。
【図９】本発明の態様に係る身体装着用ストレージバッグ１の展開図の一例である。
【発明を実施するための形態】
【００３５】
以下、図面を参照し、本発明を具現化した身体装着用ストレージバッグ１を説明する。参照する図面は、本発明が採用しうる技術的特徴を説明するために用いられるものである。図面に記載されている装置の構成、その他は、それのみに限定する趣旨ではなく、単なる説明例である。
【００３６】
＜身体装着用ストレージバッグ１の全体構成の説明＞
図１、図２を参照して、本発明に係る身体装着用ストレージバッグ１の全体構成を説明する。身体装着用ストレージバッグ１は、人の腰部に装着可能な腰部装着部２と、人の脚部に装着可能な脚部装着部３と、腰部装着部２と脚部装着部３とを繋ぐシート状部材４を備える。腰部装着部２を上側とし、脚部装着部３を下側とし、腰部装着部２と脚部装着部３とを結ぶ方向を上下方向とする。シート状部材４は、上下方向において、腰部装着部２と脚部装着部３との間に隙間無く繋がれている。
【００３７】
図２に示すように、腰部装着部２を環状につないだとき、シート状部材４のうちの内側になる面を第一面側５とし、外側になる面を第二面側６とする。第一面側５は、上下方向において腰部装着部２と脚部装着部３との間で連続した内側面１０が形成される。第二面側６には、外側に突出した部分を有する収納部２０が形成されている。
【００３８】
図１、図２に示すように、身体装着用ストレージバッグ１は、シート状部材４が第二面側６において、腰部装着部２の上端から下側に向かった所定の領域Ｎ（Ｎ１、Ｎ２）を除いた領域においてのみ収納部２０が形成されている。例として、領域Ｎは上下方向において少なくともベルト通し９が形成される幅９ｗ以上の長さである。
【００３９】
図１に示すように、腰部装着部２は、人が装着したときに人の腰部を周回する方向に延びるベルト状部材７を備える。ベルト状部材７は、シート状部材４によって形成されたベルト通し９に通されている。シート状部材４は、ベルト状部材７が延びる方向に対して移動可能である。
【００４０】
なお、以上説明した身体装着用ストレージバッグ１について、参照した図はシート状部材４がそれぞれ二つ備えられた例を示しているが、シート状部材４が一つでも良い。
【００４１】
身体装着用ストレージバッグ１は、様々な用途で使用可能である。シート状部材４は、身体装着用ストレージバッグ１の用途に応じて種々の材料が使用される。例えば、身体装着用ストレージバッグ１が工事現場、電線工事等で使用される場合、シート状部材４の材料は、例として第一面側５の生地としてはチャイニーズオックスが使用される。一般的に鞄等でよく使用される生地である。第二面側６の生地としてはナイロン８４０Ｄ（８４０デニール）が使用される。他に、第二面側６の生地として、コーデュラナイロン、バリスティックナイロン等が使用される。第二面側６に使用される生地は、強度が強く、耐久性が高いものが使用される。なお、他の材料からなる生地を使用しても良い。
【００４２】
また、例えば身体装着用ストレージバッグ１がダイビング用として使用される場合、第一面側５及び第二面側６は、例としてウエットスーツ素材の生地が使用される。また、例えば身体装着用ストレージバッグ１がバイク運転時に使用される場合、第一面側５及び第二面側６は皮による生地が使用される。
【００４３】
図１に示すように、腰部装着部２は、ベルト状部材７と、ベルト状部材７の端部にあって環状につなぐバックル８を備える。図１（ａ）は、バックル８が結合されてベルト状部材７が環状につながれた状態を示し、図１（ｂ）は、バックル８を部分的に取り出した図であり、バックル８が分離した状態を示す。ベルト状部材７は、長さ調整が可能であり、使用する人のウエストサイズに合わせて使用することができる。また、脚部装着部３（３Ｌ、３Ｒ）も同様に、ベルト部分と端部にバックル３５（３５Ｌ、３５Ｒ）を備え、脚部に装着する時はバックル３５を結合させる。図１に示す例では、脚部装着部３のベルト部分はシート状部材４に直結しており、腰部装着部２と同様に長さ調整が可能である。
【００４４】
図３〜図７は、使用者が身体装着用ストレージバッグ１を装着した状態を示す。図３、図４は、左脚に脚部装着部３を装着した状態を示し、図５は、右脚に脚部装着部３を装着した状態を示す。図６、図７は、後述するようにシート状部材４が二つあり、左右の脚部に対して脚部装着部３を装着した状態を示す。図３〜図５に示すように、身体装着用ストレージバッグ１は一つのシート状部材４を備えてもよいし、図６、図７に示すように二つのシート状部材４（４Ｌ、４Ｒ）を備えても良い。なお、身体装着用ストレージバッグ１が二つのシート状部材４（４Ｌ、４Ｒ）を備えるとき、図３、図４は左脚に第一シート状部材４Ｌを装着し、図５は右脚に第二シート状部材４Ｒを装着した状態をそれぞれ部分的に示す。
【００４５】
図３〜図５に示すように、身体装着用ストレージバッグ１は、シート状部材４が大腿部の側部に沿うように装着することができる。腰部装着部２において、ベルト通し９は、シート状部材４を折り返して形成されている。ベルト状部材７はベルト通し９に通され、シート状部材４は、ベルト状部材７が伸びる方向に移動して位置を調整できる。シート状部材４における第一面側５と第二面側６は、ベルト通し９を含めた腰部装着部２から脚部装着部３に至るまでそれぞれ一枚の生地で連続的に形成されている。シート状部材４の第一面側５には穴は無く、また突出した部分は無いので、第一面側５が大腿部に接した場合でも引っかかりが無い。なお、シート状部材４における第一面側５と第二面側６は、それぞれ一枚の生地で連続的に形成される場合の他、複数の生地を継ぎ合わせて連続的に形成されても良い。
【００４６】
また、身体装着用ストレージバッグ１は、腰部装着部２と、脚部装着部３と、収納部２０を含みシート状部材４の第一面側５及び第二面側６は、外観における全てが非導電性材料で形成されているか、或いは非導電性材料によって覆われている。例えば、シート状部材４の生地に非導電性の繊維を使用し、ベルト状部材７は同様に非導電性材料で形成され、バックル８は非導電性樹脂材料で形成されている。後述する第一通し穴部２２及び第二通し穴部２５で使用するＤ環は金属製が一般的であるが、例えば、第一通し穴部２２はポケット収納部２１ａの内部に形成され、第二通し穴部２５は覆い部２６によって覆われている。また、開閉ファスナー２８の手持ち部は金属製が一般的であるが、非導電性塗料又は非導電性ゴムが塗布されている。開閉ファスナー２８のレール部分は非導電性樹脂で形成されている。
【００４７】
なお、身体装着用ストレージバッグ１は、使用用途によっては感電或いは漏電の危険にさらされない場合がある。使用用途に応じて、外観における全てが非導電性材料で形成されているか、或いは非導電性材料によって覆われている形態とするか否かが選択される。
【００４８】
＜身体装着用ストレージバッグ１の全体構成における課題と効果＞
以上説明した身体装着用ストレージバッグ１は、その構成によって種々の効果を奏する。まず、特許文献１に記載された例のように、従来は以下の課題がある。従来の身体装着用ストレージバッグに相当する大腿部着用型パウチは、腰ベルトとパウチとを吊りベルトがつなげていた。腰ベルトとパウチとは、一定幅で形成された吊りベルトによってのみつながれており、パウチに収納物を収納しようとすると吊りベルトに引っ掛けたり、収納物が大腿部に直接接触して身体を傷つけてしまうといった課題があった。
【００４９】
また、身体装着用ストレージバッグ１はあらゆる場面での使用が想定される。高所での作業で雷に打たれる危険、電気工事等で漏電事故が起きる危険等の課題がある。
【００５０】
本発明はこれらの課題を解決するためになされたものであり、図１に示すように、腰部装着部２と脚部装着部３との間はシート状部材４で隙間無く繋がっているので、収納部２０に対して収納物５０を出し入れするときに引っかかることを防止できる。また、図２に示すように、人の身体に接する第一面側５は、連続した内側面１０が形成されているので、膝を屈伸させたときに身体（特に大腿部）に引っかかることがなくシート状部材４が身体の動きに追従するので、作業性が良い。
【００５１】
詳細には、シート状部材４は第一面側５と第二面側６によって形成された状態で、穴等の隙間が無く、腰部装着部２から脚部装着部３に至るまで連続的に形成されている。例えば、工事現場、電気工事等で身体装着用ストレージバッグ１を使用する場合、作業者が収納部２０に対して工具の出し入れを行うときに、工具の先端が引っかかる事が無く、スムーズに出し入れできる。また、図３〜図５に示すように、身体装着用ストレージバッグ１を装着すると、大腿部に沿ってシート状部材４が覆う。例えば工事現場等では、大腿部の側部は他の部材等に接触する場合があり、怪我をしやすい部位であるが、シート状部材４によって覆われることで、安全性が向上する。
【００５２】
また、図１、図２に示すように、収納部２０は、シート状部材４の第二面側６において腰部装着部２の上端から下側に向かった所定の領域Ｎ（Ｎ１、Ｎ２）を除いた領域においてのみ収納部２０が形成されている。よって、領域Ｎ（Ｎ１、Ｎ２）には、第二面側６に突出するものが無いので、その領域Ｎにおいて上から他の部材を装着できる。例えば、後述する図６、図７に示すように、領域Ｎに墜落制止用具５１を装着することができる。或いは、領域Ｎにウエストポーチを取り付けることができる。
【００５３】
また、図１に示すように、シート状部材４は、ベルト状部材７が延びる方向に対して移動可能なので、腰部装着部２を身体に装着したときに、所望の位置にシート状部材４を移動して使用できる。例えば、シート状部材４が一つの場合、左右いずれの脚部に脚部装着部３を装着するかを選択できるし、後述するようにシート状部材４が二つの場合は、シート状部材４を身体に対してバランスが良い位置に移動して脚部装着部３を装着することができる。
【００５４】
また、身体装着用ストレージバッグ１は、腰部装着部２と、脚部装着部３と、収納部２０を含みシート状部材４の第一面側５及び第二面側６は、外観における全てが非導電性材料で形成されているか、或いは非導電性材料によって覆われてもよい。この場合、身体装着用ストレージバッグ１は人が装着した状態で外観上全てが非導電性材料に覆われているので、作業中の漏電事故或いは落雷による感電事故を防止できる。
【００５５】
＜身体装着用ストレージバッグ１の詳細な構成（収納部２０）＞
次に、身体装着用ストレージバッグ１の詳細な構成を各要素について説明する。図１から図７を参照して、収納部２０（２０Ｌ、２０Ｒ）を説明する。収納部２０は、開閉部２４が形成されたポケット収納部２１を備える。ポケット収納部２１の下端部は、シート状部材４の第二面側６において収納部２０の内の最も下側であって脚部装着部３に隣接した位置に形成されている。
【００５６】
図１に示すように、収納部２０Ｌ（２０）において、ポケット収納部２１（２１ａ）は、ポケット収納部２１の内側の上端部に隣接し、開口を備えた第一通し穴部２２を備える。図１では、第一シート状部材４Ｌにポケット収納部２１ａとポケット収納部２１ｂとが形成されている。図２〜図４に示すように、第一シート状部材４Ｌは、収納部２０Ｌ（２０）において二つのポケット収納部２１が段積みされて形成されている。第一シート状部材４Ｌに対して半分以上の面積を占めるようにポケット収納部２１ａが形成され、さらにポケット収納部２１ａの外側に小サイズのポケット収納部２１ｂが形成されている。
【００５７】
第一通し穴部２２は、ポケット収納部２１ａの内部に形成されている。例として第一通し穴部２２はいわゆるＤ環と呼ばれる金属製の輪が結合部３０に取り付けてある。図５は後述する第二通し穴部２５の構成を説明しているが、第一通し穴部２２も同様の構成である。第一通し穴部２２は、ポケット収納部２１ａの内部であって上端部に形成されている。例えば、収納物５０が工具の場合、持ち手側と第一通し穴部２２とを連結し、先端部をポケット収納部２１ａの内部に収納して開閉部２４（開閉ファスナー２８）を閉じることにより、工具を安定して収納できる。特に、第一通し穴部２２に収納物５０である工具が連結されるので、仮に開閉部２４を開けたときでも工具が飛び出さない。
【００５８】
なお、第一通し穴部２２はＤ環に限らず丸形のリング状でも良いし、金属製に限らず樹脂製でも良い。また、第一通し穴部２２は、シート状部材４の第二面側６の一部に直接穴が開けられていても良い。
【００５９】
また、図１、図５に示すように、収納部２０Ｒ（２０）は、開口を備えた第二通し穴部２５と、第二通し穴部２５の上下方向の下側に対向して形成され、上下方向に延びた貫通する袋状の支持部２３を備える。図５に示すように、シート状部材４において領域Ｎ２（Ｎ）の下端部近傍に第二通し穴部２５が形成されている。上述したように、第二通し穴部２５は第一通し穴部２２と同様の構成である。例えば、収納物５０が工具の場合、持ち手側と第二通し穴部２５とを連結し、先端部を支持部２３に挿入する。すると、工具は揺れることなく収納部２０に収納される。また、支持部２３のサイズによって挿入できる工具のサイズが決まるので、作業者は作業を繰り返しても工具毎に収納位置を固定でき、整理整頓が行き届く。
【００６０】
また、図１、図５に示すように、収納部２０Ｒ（２０）は、上下方向の上側に、開口を備えた第二通し穴部２５と、第二通し穴部２５の上下方向の下側に対向して形成され上下方向に延びた貫通する袋状の支持部２３と、支持部２３よりも上下方向の下側にポケット収納部２１ｃを備える。図１、図５に示すように、ポケット収納部２１ｃはポケット収納部２１ａに比べると、上下方向において小さなサイズである。この構成では、一つの第二シート状部材４Ｒ（４）において、収納部２０Ｒは上下方向に２種類の形態を備える。
【００６１】
なお、図１、図５では、収納部２０Ｒは上下方向に２種類の形態を備える例を示しているが、例えば、ポケット収納部２１ｃを備えずに、開口を備えた第二通し穴部２５と、第二通し穴部２５の上下方向の下側に対向して形成され上下方向に延びた貫通する袋状の支持部２３のみが備えられても良い。
【００６２】
図２、図５に示すように、収納部２０Ｒは、第二通し穴部２５の全体を覆う覆い部２６を備え、覆い部２６は、第二面側６において第二通し穴部２５の上側に形成された接続部２７でシート状部材４に接続され、接続部２７を支点として開閉可能である。前述したように、第二通し穴部２５はいわゆるＤ環と呼ばれる金属製の輪が結合部３０に取り付けてある。収納物５０が工具の場合、持ち手側と第二通し穴部２５とを連結し、先端部を支持部２３に挿入する。覆い部２６は、第二通し穴部２５に合わせて収納物５０と連結された部分を覆う。
【００６３】
図３、図４に示す例では、収納部２０Ｌ（２０）は、少なくとも二つのポケット収納部２１ａ、２１ｂを備える。ポケット収納部２１ａ、２１ｂの開閉部２４は、開閉ファスナー２８で形成される。図３に示す例では、開閉ファスナー２８ａと開閉ファスナー２８ｂの開閉方向は同一の方向であり、開く方向は方向Ｅである。図４に示す例では、開閉ファスナー２８の開閉方向は互いに異なり、開閉ファスナー２８ａの開く方向は方向Ｇであり、開閉ファスナー２８ｂの開く方向は方向Ｅである。方向Ｅは、身体装着用ストレージバッグ１を装着したときに、腹側から背側に向かう方向である。方向Ｇは、背側から腹側へ向かう方向である。
【００６４】
＜収納部２０に関する構成による課題と効果＞
以上説明した身体装着用ストレージバッグ１は、収納部２０の構成によって種々の効果を奏する。収納部２０については、以下の課題が想定される。身体装着用ストレージバッグ１が収納部２０にポケット収納部２１が備えられる場合、収納物５０の重量が大きいと装着者が移動したとき或いは作業中に振れてしまうという課題がある。また、ポケット収納部２１に収納物５０を収納したとき、内部で収納物５０が動くことで音が発生する、或いは収納物５０が互いにぶつかり合って傷つく恐れがある。
【００６５】
また、収納物５０はポケット収納部２１に収納してしまうと、どのような種類の収納物５０が収納されているのかわからないという課題がある。また、収納部２０にはできるだけ多くの種類、或いは多数の収納物５０を収納したいという課題がある。また、収納部２０に第二通し穴部２５が備えられたとき、第二通し穴部２５と収納物５０との連結部が露出してしまうと、人が連結部に触れることで連結部が外れてしまい、収納物５０が落下してしまうという課題がある。さらに、収納部２０に複数のポケット収納部２１が形成された場合、収納物５０を出し入れする頻度に応じてポケット収納部２１を使い分けたいという課題がある。或いは、いずれのポケット収納部２１に対しても収納物５０をスムーズに出し入れしたいという課題がある。身体装着用ストレージバッグ１の収納部２０はこれらの課題を解決するためになされたものである。
【００６６】
図１、図３から図７に示すように、身体装着用ストレージバッグ１の収納部２０は、開閉部２４が形成されたポケット収納部２１（２１ａ、２１ｂ、２１ｃ）を備え、ポケット収納部２１の下端部は、シート状部材４の第二面側６において収納部２０の内の最も下側であって脚部装着部３に隣接した位置に形成されている。よって、身体装着用ストレージバッグ１は、ポケット収納部２１に重量物である収納物５０を収納した場合であっても振れることを防止できる。作業者は作業中に身体装着用ストレージバッグ１が振れること無く安定した状態で作業することができる。
【００６７】
また、図１に示すように、身体装着用ストレージバッグ１の収納部２０Ｌにおけるポケット収納部２１ａは、ポケット収納部２１ａの内側の上端部に隣接し、開口を備えた第一通し穴部２２を備える。よって、収納物５０の一部を第一通し穴部２２に取付けて固定することができる。また、第一通し穴部２２はポケット収納部２１ａの内側に備えられるので、収納物５０が収納部２０から落ちることを防止できる。さらに、ポケット収納部２１に収納物５０を収納したとき、内部で収納物５０が動くことで発生する音を防止し、収納物５０が互いにぶつかり合って傷つくことを防止する。
【００６８】
また、図１、図５に示すように、身体装着用ストレージバッグ１の収納部２０は、開口を備えた第二通し穴部２５と、第二通し穴部２５の上下方向の下側に対向して形成され上下方向に延びた貫通する袋状の支持部２３を備える。よって、収納物５０の一部を第二通し穴部２５に取付け、他の部分を袋状の支持部２３に挿入できる。収納部２０に収納された収納物５０は振れることが無く、収納部２０から落下することを防止できる。
【００６９】
また、図１、図５に示すように、身体装着用ストレージバッグ１の収納部２０は、上下方向に二つの収納領域が形成されるので、より多種類の或いは多数の収納物５０を収納できる。ポケット収納部２１は、支持部２３よりも下側に備えられるので、支持部２３に支持された収納物５０を下側から支える効果がある。
【００７０】
また、図５に示すように、覆い部２６が第二通し穴部２５を覆うので、第二通し穴部２５が露出せず、外観上の見栄えが良い。また、収納物５０の一部が第二通し穴部２５に取り付けられたとき、覆い部２６によって第二通し穴部２５に取り付けられた収納物５０の一部が覆われるので、収納物５０が外れて収納部２０Ｒから落下することを防止できる。
【００７１】
また、図４に示す例では、収納部２０（２０ａ）が複数のポケット収納部２１ａ、２１ｂを備える場合、開閉ファスナー２８ａの開く方向は方向Ｇであり、開閉ファスナー２８ｂの開く方向は方向Ｅである。よって、頻繁に出し入れする収納物５０はポケット収納部２１ｂに収納し、出し入れの頻度が低い収納物５０はポケット収納部２１ａに収納することで使い分けができる。
【００７２】
また、図３に示す例では、収納部２０（２０ａ）が複数のポケット収納部２１ａ、２１ｂを備える場合、開閉ファスナー２８ａと開閉ファスナー２８ｂの開く方向は共に方向Ｅである。よって、複数の開閉ファスナー２８は同じ方向へ開閉できるので、開閉方向を間違えることなくスムーズに開閉できる。なお、図３の例では、開閉ファスナー２８が開く方向は共に方向Ｅであるが、その逆の共に方向Ｇでもよい。その場合、開閉方向を間違えないという同様の効果を奏し、出し入れの頻度が少ない収納物５０を収納するのに適する。
【００７３】
＜シート状部材４の詳細な構成＞
次に、身体装着用ストレージバッグ１のシート状部材４の構成を詳細に説明する。図１、図６〜図９に示すように、身体装着用ストレージバッグ１のシート状部材４は二つ備えられ、シート状部材４である第一シート状部材４Ｌと第二シート状部材４Ｒのそれぞれの第二面側６は、ポケット収納部２１を備える。第一シート状部材４Ｌの第二面側６は、ポケット収納部２１ａ、２１ｂを備える。第二シート状部材４Ｒの第二面側６は、ポケット収納部２１ｃを備える。それぞれのポケット収納部２１の開閉部２４は、開閉ファスナー２８で形成されている。なお、以下の説明において、開閉部２４は開閉ファスナー２８で形成された例について説明するが、他の構成を採用しても良い。例えば、面ファスナーを採用しても良いし、マグネット、その他の構成を採用しても良い。
【００７４】
図６に示す例では、図１のように第一シート状部材４Ｌと第二シート状部材４Ｒのそれぞれの第一面側５が同一平面上に置かれたとき、第一シート状部材４Ｌの少なくとも一つのポケット収納部２１ａ（２１ｂ）と第二シート状部材４Ｒの少なくとも一つのポケット収納部２１ｃは、開閉ファスナー２８ａ、２８ｃの開閉方向が互いに異なる方向である。身体装着用ストレージバッグ１は、身体に装着したときに開閉ファスナー２８ａの開く方向が方向Ｅであり、開閉ファスナー２８ｃの開く方向が方向Ｆである。開閉ファスナー２８ａと２８ｃは、装着者の腹側から背側へ開く方向（方向Ｅ及び方向Ｆ）に形成されている。
【００７５】
図１の状態で見た場合、すなわち、シート状部材４の第一面側５を同一平面上に置いたとき、第一シート状部材４Ｌのポケット収納部２１ａ、２１ｂは、開閉ファスナー２８ａ、２８ｂとが向かって左から右に開く方向Ｅである。また、第二シート状部材４Ｒのポケット収納部２１ｃは、開閉ファスナー２８ｃが向かって右から左に開く方向Ｆである。この状態で第一シート状部材４Ｌと第二シート状部材４Ｒは、開閉ファスナー２８ａと開閉ファスナー２８ｃの開閉方向が互いに異なる方向である。
【００７６】
図６に示す例では、装着者は、身体装着用ストレージバッグ１の脚部装着部３（３Ｌ、３Ｒ）を左右の脚に装着してポケット収納部２１を使用するとき、開閉ファスナー２８ａから２８ｃを同じ方向に開閉できる。すなわち、開閉ファスナー２８ａから２８ｃは、いずれのポケット収納部２１（２１ａ、２１ｂ、２１ｃ）においても、腹側から背側へ開く方向に開閉できる。
【００７７】
人が腕を動かす習慣から、開閉ファスナー２８は、腹側から背側に向かって開くのがスムーズな場合が多い。すなわち、左脚に装着された第一シート状部材４Ｌの開閉ファスナー２８ａと２８ｂは左腕で開閉し、右脚に装着された第二シート状部材４Ｒの開閉ファスナー２８ｃは右腕で開閉するとした場合、いずれの開閉ファスナー２８も左右それぞれの腕で腹側から背側に向かって開く方向となる。よって、ポケット収納部２１に対して頻繁に収納物５０を出し入れする際に適している。また、逆にポケット収納部２１に収納した収納物５０を取り出す頻度が少ない場合は、開閉ファスナー２８が開く方向を逆にすることもできる。すなわち、人が間違って開閉ファスナー２８を開けないようにすることで収納物５０が落ちることを防止できる。
【００７８】
なお、図６に示す例では、開閉ファスナー２８ａと開閉ファスナー２８ｂとは開閉方向が同じ方向Ｅであるが、互いに異なる方向に開閉してもよい。また、開閉ファスナー２８ａと開閉ファスナー２８ｃは共に腹側から背側に向かう方向が開く方向に形成されているが、それとは逆に共に背側から腹側に向かう方向が開く方向に形成されてもよい。
【００７９】
図７に示す例では、図１のように第一シート状部材４Ｌと第二シート状部材４Ｒのそれぞれの第一面側５が同一平面上に置かれたとき、第一シート状部材４Ｌの少なくとも一つのポケット収納部２１ａ（２１ｂ）と第二シート状部材４Ｒの少なくとも一つのポケット収納部２１ｃは、開閉ファスナー２８ａ、２８ｃの開閉方向が共に同じ方向である。身体装着用ストレージバッグ１は、身体に装着したときに開閉ファスナー２８ａの開く方向が方向Ｇであり、開閉ファスナー２８ｃの開く方向が方向Ｆである。開閉ファスナー２８ａは、装着者の背側から腹側へ開く方向Ｇに形成され、開閉ファスナー２８ｃは、装着者の腹側から背側へ開く方向Ｆに形成されている。
【００８０】
図１の状態で見た場合、すなわち、シート状部材４の第一面側５を同一平面上に置いたとき、第一シート状部材４Ｌのポケット収納部２１ａの開閉ファスナー２８ａと、第二シート状部材４Ｒのポケット収納部２１ｃの開閉ファスナー２８ｃとが向かって右から左に開く方向である。また、第一シート状部材４Ｌのポケット収納部２１ｂは、開閉ファスナー２８ｂが向かって左から右に開く方向である。この状態で第一シート状部材４Ｌと第二シート状部材４Ｒは、開閉ファスナー２８ａと開閉ファスナー２８ｃの開閉方向が同じ方向である。
【００８１】
図７に示す例では、装着者は、身体装着用ストレージバッグ１の脚部装着部３（３Ｌ、３Ｒ）を左右の脚に装着してポケット収納部２１を使用するとき、開閉ファスナー２８ａと開閉ファスナー２８ｃとは異なる方向に開閉できる。すなわち、開閉ファスナー２８ａは背側から腹側へ向かう方向Ｇが開く方向であり、開閉ファスナー２８ｃは腹側から背側へ向かう方向Ｆが開く方向である。人が腕を動かす習慣から、開閉ファスナー２８ａは開けにくい方向に形成され、開閉ファスナー２８ｃは開けやすい方向に形成されている。よって、頻繁に出し入れする収納物５０はポケット収納部２１ｃに収納し、出し入れが少ない収納物５０はポケット収納部２１ａに収納することで使い分けができる。
【００８２】
なお、図７に示す例では、開閉ファスナー２８ａは方向Ｇに開く方向であり、開閉ファスナー２８ｂは方向Ｅに開く方向であって互いに異なる方向であるが、開閉方向が同じ方向でもよい。また、図７に示す例とは逆に、開閉ファスナー２８ａの開く方向が方向Ｅであり、開閉ファスナー２８ｃの開く方向が方向Ｆの逆方向でもよい。
【００８３】
図１に示すように、身体装着用ストレージバッグ１は、シート状部材４は二つ備えられ、ベルト状部材７がシート状部材４によって形成されたベルト通し９に通されている。シート状部材４は、ベルト状部材７が延びる方向に対して移動可能である。ベルト状部材７が環状につながれたとき、二つの上端の幅を加えた長さは、ベルト状部材７の全長Ｌの１／３以上であってかつ３／４以下である。
【００８４】
具体的には、図１に示すように、シート状部材４は第一シート状部材４Ｌと第二シート状部材４Ｒとからなり、第一シート状部材４Ｌの上端の長さＭ１と第二シート状部材４Ｒの上端の長さＭ２の長さの和は、ベルト状部材７の全長Ｌの１／３以上であってかつ３／４以下である。なお、この関係は、シート状部材４が一つの場合でも３以上の場合でも該当するよう構成される。
【００８５】
左の脚部に装着される第一シート状部材４Ｌと、右の脚部に装着される第二シート状部材４Ｒは、それぞれの上端の幅Ｍ１と幅Ｍ２とが同じ幅でもよいし、異なった幅でもよい。第一シート状部材４Ｌと第二シート状部材４Ｒは、ベルト状部材７に対して移動させることにより、装着者が好む位置でそれぞれの脚部装着部３Ｌと脚部装着部３Ｒとを装着できる。
【００８６】
図１に示すように、例としてシート状部材４（４Ｌ、４Ｒ）は、ベルト状部材７が延びる方向において、上端から下端に至るまで同じ幅である。この例では、シート状部材４（４Ｌ、４Ｒ）は、展開したとき長方形状であるが、平行四辺形であってもよい。
【００８７】
また、図８に示す例では、シート状部材４（４Ｌ、４Ｒ）は、ベルト状部材７が延びる方向において、上端の幅（Ｍ１、Ｍ２）が下端の幅（Ｍ３、Ｍ４）よりも広く、上端から下端にいくに従って幅が狭くなる。前述したように、それぞれの第一シート状部材４Ｌと第二シート状部材４Ｒは上端の幅Ｍ１と幅Ｍ２が同じ幅でも良いし異なっていても良い。第一シート状部材４Ｌの上端の幅Ｍ１は、下端の幅Ｍ３よりも大きい。また、第二シート状部材４Ｒの上端の幅Ｍ２は、下端の幅Ｍ４よりも大きい。
【００８８】
また、図９に示す例では、シート状部材４（４Ｌ、４Ｒ）は、ベルト状部材７が延びる方向において、上端の幅（Ｍ１、Ｍ２）が下端の幅（Ｍ３、Ｍ４）未満の長さであり、上端から下端にいくに従って幅が広くなる。第一シート状部材４Ｌの上端の幅Ｍ１は、下端の幅Ｍ３未満である。また、第二シート状部材４Ｒの上端の幅Ｍ２は、下端の幅Ｍ４未満である。図１及び図８と、図９のいずれの例を選択するかは、身体装着用ストレージバッグ１の用途によって決められる。
【００８９】
図３〜図７に示すように、シート状部材４は二つ備えられ、一方に備えられた収納部２０Ｌと他方に備えられた収納部２０Ｒとは異なる形態である。例えば、第一シート状部材４Ｌには、収納部２０Ｌにおいてポケット収納部２１ａとポケット収納部２１ｂが形成され、第二シート状部材４Ｒには、収納部２０Ｒにおいて上側に第二通し穴部２５と支持部２３が形成され、下側にはポケット収納部２１ｃが形成されている。なお、収納部２０Ｌと収納部２０Ｒのそれぞれの形態は図３〜図７の例に限らず、他の種々の形態でも良い。
【００９０】
＜シート状部材４の構成による課題と効果＞
以上説明した身体装着用ストレージバッグ１は、シート状部材４の構成によって種々の効果を奏する。シート状部材４については、以下の課題が想定される。身体装着用ストレージバッグ１は、例えば人が作業を行う際に身体に装着して使用するので、できるだけ多くの収納物５０を収納したいという課題がある。また、収納部２０に複数のポケット収納部２１を備え、開閉部２４として開閉ファスナー２８が備えられたとき、開閉ファスナー２８の開閉方向を間違えるか、或いは悩むといった課題が想定される。或いは、ポケット収納部２１に、頻繁には出し入れしない収納物５０を収納しておいたにも関わらず、誤って開閉ファスナー２８を開けて収納物５０を落としてしまうという課題が想定される。ポケット収納部２１の数が多くなるほど顕著な課題となる。
【００９１】
また、シート状部材４は、ベルト状部材７に対してスムーズに移動させ、身体に対して適した位置で脚部装着部３を装着したいという課題がある。また、身体装着用ストレージバッグ１の上からさらに別の装備等を付けたいという課題がある。また、身体装着用ストレージバッグ１は、身体に装着したときに、シート状部材４が大腿部の側部に沿ってフィットしてほしいという課題がある。また、身体装着用ストレージバッグ１は、多種類の収納物５０を収納したいという課題がある。身体装着用ストレージバッグ１のシート状部材４は、これらの課題を解決するためになされたものである。
【００９２】
図６に示すように、シート状部材４（４Ｌ、４Ｒ）は二つ備えられるので、それぞれに収納部２０（２０Ｌ、２０Ｒ）を形成できる。シート状部材４の第二面側６は、それぞれポケット収納部２１を備える。よって、収納物５０の収納量を多くすることができる。また、身体装着用ストレージバッグ１を装着した人は、左右の第一シート状部材４Ｌと第二シート状部材４Ｒに備えられたポケット収納部２１ａ、２１ｃにおいて開閉ファスナー２８を同じ方向から開閉することができる。すなわち、図６の例では、開閉ファスナー２８ａは方向Ｅが開く方向で、開閉ファスナー２８ｃは方向Ｆが開く方向である。いずれも腹側から背側へ向かう方向が開く方向である。よって、身体装着用ストレージバッグ１を装着した人は、左右の腕を使った場合、収納物５０をスムーズに出し入れすることができ、出し入れするときに開閉ファスナー２８の開閉方向を間違えることなく作業することができる。なお、開閉ファスナー２８ａの開く方向が方向Ｅの逆の方向であり、開閉ファスナー２８ｃの開く方向が方向Ｆの逆の方向でもよい。その場合は、いずれも背側から腹側へ向かって開く方向となるので、出し入れの頻度が低い収納物５０を収納するのに適する。
【００９３】
また、図７に示す例も、図６の例と同様に収納物５０の収納量を多くすることができる。図７に示すように、身体装着用ストレージバッグ１の脚部装着部３を左右の脚に装着した人は、左右の第一シート状部材４Ｌと第二シート状部材４Ｒに備えられたそれぞれ少なくとも一つのポケット収納部２１ａ、２１ｃにおいて開閉ファスナー２８ａ、２８ｃを異なる方向から開閉することができる。すなわち、図７の例では、開閉ファスナー２８ａは方向Ｇが開く方向で、開閉ファスナー２８ｃは方向Ｆが開く方向である。開閉ファスナー２８ａは背側から腹側に向かう方向が開く方向Ｇであり、開閉ファスナー２８ｃは腹側から背側へ向かう方向が開く方向Ｆである。よって、ポケット収納部２１に収納する収納物５０に応じていずれのポケット収納部２１（２１ａ、２１ｃ）に収納するかを選択できる。すなわち、頻繁に出し入れする収納物５０はポケット収納部２１ｃに収納し、出し入れの頻度が少ない収納物５０は開閉し難いポケット収納部２１ａに収納することで使い分けができる。なお、開閉ファスナー２８ａの開く方向が方向Ｇの逆の方向であり、開閉ファスナー２８ｃの開く方向が方向Ｆの逆の方向でもよい。
【００９４】
また、図１に示すように、シート状部材４（４Ｌ、４Ｒ）は、ベルト状部材７が延びる方向に対して移動可能なので、腰部装着部２を身体に装着したときに、所望の位置にシート状部材４を移動して使用できる。シート状部材４の二つの上端の長さを加えた長さは、ベルト状部材７の全長Ｌの１／３以上である。よって、シート状部材４はベルト状部材７が延びる方向に所定の幅を具備するので、収納部２０の領域を確保することができる。仮に、シート状部材４の二つの上端の長さを加えた長さ（Ｍ１＋Ｍ２）が、ベルト状部材７の全長Ｌの１／３未満の場合、収納部２０を形成する面積が小さくなり、十分な収納物５０の収納量を確保できなくなる。
【００９５】
また、シート状部材４の二つの上端の長さを加えた長さ（Ｍ１＋Ｍ２）は、ベルト状部材７の全長Ｌの３／４以下である。よって、シート状部材４は、ベルト状部材７の全長Ｌに対して少なくとも１／４移動可能なので、ベルト状部材７に対してスムーズに移動できる。仮に、シート状部材４の二つの上端の長さを加えた長さ（Ｍ１＋Ｍ２）が、ベルト状部材７の全長Ｌの３／４以上の場合、シート状部材４はベルト状部材７に対してスムーズに移動できず、使用者が望む位置に移動できない。
【００９６】
また、図６、図７に示すように、第一シート状部材４Ｌと第二シート状部材４Ｒとをそれぞれ大腿部の側部を覆う位置に装着すると、腹側と背側のそれぞれにシート状部材４が存在しない領域ができる。例えば、図６、図７に示したように、身体装着用ストレージバッグ１を高所作業で使用するとき、人の腹側と背側に墜落制止用具５１を装着することが義務づけられている。これは、厚生労働省より公表されている、「墜落制止用具の安全な使用に関するガイドライン」に示されている。身体装着用ストレージバッグ１は、ベルト状部材７の周長に対して、シート状部材４が占める長さは最大で３／４なので、残りの１／４はシート状部材４が存在しない領域ができる。その領域に、墜落制止用具５１を装着することができる。仮に、シート状部材４の二つの上端の長さを加えた長さ（Ｍ１＋Ｍ２）が、ベルト状部材７の全長Ｌの３／４以上の場合、墜落制止用具５１を装着することが難しくなる。
【００９７】
また、図１に示す例では、身体装着用ストレージバッグ１のシート状部材４は、ベルト状部材７が延びる方向において、上端から下端に至るまで同じ幅である。よって、シート状部材４は、腰部装着部２から脚部装着部３に向かって同じ幅なので、上端から下端まで大腿部を均等に覆うことができる。
【００９８】
また、図８に示す例では、身体装着用ストレージバッグ１のシート状部材４は、ベルト状部材７が延びる方向において、上端の幅（Ｍ１、Ｍ２）が下端の幅（Ｍ３、Ｍ４）よりも広く、上端から下端にいくに従って幅が狭くなる。よって、シート状部材４の幅は、腰部から下に向かって大腿部が細くなっていくのに合わせて追従するため、身体装着用ストレージバッグ１を装着したときにシート状部材４が脚の動きに追従しやすい。
【００９９】
また、図９に示す例では、身体装着用ストレージバッグ１のシート状部材４は、ベルト状部材７が延びる方向において、上端の幅（Ｍ１、Ｍ２）が下端の幅（Ｍ３、Ｍ４）未満の長さでもよい。この場合、シート状部材４（４Ｌ、４Ｒ）は、腰部装着部２から脚部装着部３に向かうに従って幅が広くなっていく。よって、シート状部材４は、下端において大腿部を覆う幅が広くなるので、脚部装着部３において安定して身体に装着できる。
【０１００】
また、図３〜図７に示すように、身体装着用ストレージバッグ１の二つのシート状部材４（４Ｌ、４Ｒ）は、一方に備えられた収納部２０Ｌと他方に備えられた収納部２０Ｒとは異なる形態でもよい。この場合、二つのシート状部材４の収納部２０に対して、それぞれ異なる収納物５０を収納することができる。よって、身体装着用ストレージバッグ１は、多種類の収納物５０を収納することができる。
【０１０１】
＜変形例＞
なお、本発明は上記の実施形態に限定されるものではなく、種々の変更が可能である。例えば、二つの第一シート状部材４Ｌと第二シート状部材４Ｒは、収納部２０Ｌと収納部２０Ｒとが異なる形態の場合について説明したが、これに限らない。収納部２０Ｌと収納部２０Ｒとは、同じ形態であってもよい。
【０１０２】
また、身体装着用ストレージバッグ１は、二つのシート状部材４（４Ｌ、４Ｒ）を備える例について説明したがこれに限らない。例えば、シート状部材４は一つであり、脚部装着部３は右脚或いは左脚のいずれか一方にのみ装着するものでもよい。
【０１０３】
また、ベルト状部材７はバックル８を備えた例を説明したがこれに限らない。例えば、ベルト状部材７は面ファスナーを備えてもよい。
【符号の説明】
【０１０４】
１    身体装着用ストレージバッグ
２    腰部装着部
３、３Ｌ、３Ｒ    脚部装着部
４    シート状部材
４Ｌ    第一シート状部材
４Ｒ    第二シート状部材
５    第一面側
６    第二面側
７    ベルト状部材
９    ベルト通し
１０    内側面
２０、２０Ｌ、２０Ｒ    収納部
２１、２１ａ、２１ｂ、２１ｃ    ポケット収納部
２２    第一通し穴部
２３    支持部
２４    開閉部
２５    第二通し穴部
２６    覆い部
２７    接続部
２８、２８ａ、２８ｂ、２８ｃ    開閉ファスナー
Ｅ    方向
Ｆ    方向
Ｇ    方向
Ｌ    全長
Ｍ１、Ｍ２、Ｍ３、Ｍ４    幅
Ｎ、Ｎ１、Ｎ２    領域
【図１】
0006919869.tif 000002
【図２】
0006919869.tif 000003
【図３】
0006919869.tif 000004
【図４】
0006919869.tif 000005
【図５】
0006919869.tif 000006
【図６】
0006919869.tif 000007
【図７】
0006919869.tif 000008
【図８】
0006919869.tif 000009
【図９】
0006919869.tif 000010